(57)【要約】      （修正有）【課題】身に着けている衣服を脱ぎたいと思うよう時に、衣服を持ち運ぶための、改善された折畳み可能な衣服を提供すること。【解決手段】使用されていないときに、衣服１０を中に詰めることができる一体型の第１のポケット５５を備えており、第１のポケットが、衣服の下端部に配置された開口部を備え、開口部が下側に向けられており、開口部が閉鎖手段を備えていなく、第１のポケットが、衣服の背中パネルの垂直方向範囲の大部分に沿って延在しているている、衣服。【選択図】図１
2019049087.tif 000002
【特許請求の範囲】
【請求項１】
衣服であって、
ａ．使用されていないときに、衣服を中に詰めることができる一体型の第１のポケットを備えており、
ｂ．第１のポケットが、衣服の下端部に配置された開口部を備えている、衣服。
【請求項２】
開口部が下側に向けられている、請求項１に記載の衣服。
【請求項３】
開口部が閉鎖手段を備えていない、請求項１または２に記載の衣服。
【請求項４】
第１のポケットが、衣服の背中パネルの垂直方向範囲の大部分に沿って延在している、請求項１から３のいずれかに記載の衣服。
【請求項５】
第１のポケットが、衣服の少なくとも２つのパネルを相互連結している継ぎ目と、継ぎ目を共有している材料の層を備えている、請求項１から４のいずれかに記載の衣服。
【請求項６】
第１のポケットは、衣服が第１のポケットに詰められたときに、第１のポケットを中に詰めることができる第２のポケットを備えている、請求項１から５のいずれかに記載の衣服。
【請求項７】
衣服であって、
ａ．使用されていないときに、衣服を中に詰めることができる一体型の第１のポケットを備えており、
ｂ．第１のポケットが、衣服の背中パネルの垂直方向範囲の大部分に沿って延在している、衣服。
【請求項８】
衣服であって、
ａ．使用されていないときに、衣服を中に詰めることができる一体型の第１のポケットを備えており、
ｂ．第１のポケットは、衣服が第１のポケットに詰められたときに、第１のポケットを中に詰めることができる第２のポケットを備えている、衣服。
【請求項９】
衣服が使用されているとき、第２のポケットは、第１のポケットの内側に配置される、請求項１から８のいずれかに記載の衣服。
【請求項１０】
衣服であって、
ａ．使用されていないときに、衣服を中に詰めることができる一体型の第１のポケットを備えており、
ｂ．第１のポケットが、衣服の少なくとも２つのパネルを相互連結している継ぎ目と、継ぎ目を共有している材料の層を備えている、衣服。
【請求項１１】
第１のポケットが、第１のポケットに入るように衣服を下向きに引っ張るように適合された引き手要素をさらに備えている、請求項１から１０のいずれかに記載の衣服。
【請求項１２】
引き手要素が、第１のポケットに取り付けられた第２の固定要素と相互作用するように適合された第１の固定要素を備えており、それにより第１のポケット用の持運びストラップが形成される、請求項１から１１のいずれかに記載の衣服。
【請求項１３】
第１のポケットおよび／または衣服を反転させることによって、衣服を第１のポケットの中に詰めることができる、請求項１から１２のいずれかに記載の衣服。
【請求項１４】
衣服が、上半身用の衣服である、請求項１から１３のいずれかに記載の衣服。
【請求項１５】
バッグであって、
ａ．使用されていないときに、バッグを中に詰めることができる一体型の第１のポケットを備えており、ｂ．第１のポケットは、バッグが第１のポケットに詰められたときに、第１のポケットを中に詰めることができる第２のポケットを備えている、バッグ。
【発明の詳細な説明】
【技術分野】
【０００１】
本発明は、使用されていないときに簡便に保管および持運びができるように、一体型ポケットに詰めることができる衣服に関する。
【背景技術】
【０００２】
衣服を着用している人の環境条件および／または活動レベルが変わると、身に着けている衣服を脱ぎたいと思うようになることがある。人が衣服を持ち運ばなければならないということは、特にアウトドアおよびスポーツ活動中に持運び手段がない場合には、不都合であり得る。この文脈において、衣服を持ち運ぶための一体型バッグを有する折畳み可能な衣服は、従来技術、例えば米国特許第２，１４３，９３１号明細書、米国特許第２５４，６３６号明細書、米国特許第４，５０２，１５４号明細書、米国特許出願公開第２００６／０１５０２９７号明細書、米国特許第８，０３２，９４８号明細書、米国特許第５，８５０，６３４Ａ号明細書、米国特許出願公開第２０１５／００９６０９７号明細書、米国特許第４，６８９，８３１Ａ号明細書、米国特許第５，７８７，５０４Ａ号明細書、および米国特許第３，６７０，３４０号明細書において、よく知られている。
【０００３】
しかし、従来技術で開示されている衣服には、様々な欠点がある。例えば一体型バッグは、いくつかの事例では、衣服が使用されるときに、水分、汚れ、および虫が容易にバッグに入り得るように配置されており、それにより追加的な閉鎖手段（ジッパーまたはボタン）が必要になる。そしてこの閉鎖手段は、衣服の使用中に着用者にとって不快なものとなり得る。それに加えて閉鎖手段は、製造に費用がかかり、例えば薄いジッパーに関して知られているように、短期間で壊れる恐れがある。
【０００４】
先行技術の折畳み可能な衣服の別の欠点は、一体型バッグが典型的には非常に小さいことであり、これにより、衣服が使用されないときには、衣服をバッグに密に詰め込まなくてはならない。バッグの内側に密に詰め込まれる衣服をきつく折り畳むことは、衣服の耐水性および通気性のある膜などの繊細な材料を容易に傷つける可能性がある。
【０００５】
最後に、そのような一体型バッグを、前述した先行技術の衣服の一部として製造することは、典型的には、製造中に手が届きにくい衣服の位置に追加的な継ぎ目を提供することなど、複雑な、したがって時間のかかる製造ステップを必要とする。
【０００６】
したがって、本発明は、先行技術の前述した欠点のうちの１つまたは複数を少なくとも部分的に克服するために、そのような折畳み可能な衣服をさらに改善するという課題に基づいている。
【先行技術文献】
【特許文献】
【０００７】
【特許文献１】米国特許第２，１４３，９３１号明細書
【特許文献２】米国特許第２５４，６３６号明細書
【特許文献３】米国特許第４，５０２，１５４号明細書
【特許文献４】米国特許出願公開第２００６／０１５０２９７号明細書
【特許文献５】米国特許第８，０３２，９４８号明細書
【特許文献６】米国特許第５，８５０，６３４Ａ号明細書
【特許文献７】米国特許出願公開第２０１５／００９６０９７号明細書
【特許文献８】米国特許第４，６８９，８３１Ａ号明細書
【特許文献９】米国特許第５，７８７，５０４Ａ号明細書
【特許文献１０】米国特許第３，６７０，３４０号明細書
【発明の概要】
【課題を解決するための手段】
【０００８】
上述した課題は、本願の独立請求項の主題によって少なくとも部分的に解決される。一実施形態では、本発明は、使用されていないときに、衣服を中に詰めることができる一体型の第１のポケットを備えた衣服であって、第１のポケットが、衣服の下端部に配置された開口部を備えている、衣服を提供する。
【０００９】
例えば、衣服が防雨用衣服である場合には、この実施形態によって、相当な量の水分および／または汚れが開口部を通って入り、第１のポケット内に溜まるということがなくなる。したがって衣服は、ポケットを乾燥した清潔な状態にしておくために、ポケットの開口部を閉鎖するための専用の手段を備える必要がない。この態様によって、製造コストおよび複雑さが低減し、閉鎖手段が壊れる恐れがなくなる。
【００１０】
本発明のさらなる実施形態では、第１のポケットの開口部は下側に向けられており、それにより、水分および／または汚れがポケットに入るリスクがさらに低減される。それに加えて、この配置によって、衣服、例えばレインコート、が使用されている間に、またはコートフックもしくは帽子ラックに掛けられている間に、水分および／または汚れがポケットから取り除かれることが容易になる。さらに、衣服の下端部に配置され、下側に向けられている開口部は、衣服が使用されている間完全に隠されることが可能であり、それにより外観および着心地が改善される。
【００１１】
本発明のさらなる実施形態では、第１のポケットは、衣服の背中パネルの垂直方向範囲の大部分に沿って延在するように配置されている。この配置によって、使用されていないときに衣服をそれほど密に詰め込まなくてもよくなり、衣服は、衣服の背中パネルに沿って延在している数本の折畳み線に沿ってのみ、折り畳まれてもよい。衣服の外側材料が、耐水性および／または通気性のある膜などの繊細な材料を備えている場合には、そのような折畳みパターンは、衣服を詰めることによって膜にかかる負担を、著しく減らすことができる。それに加えて、衣服がポケットの内側に詰められたときに衣服の外表面をなお覆っているかもしれない水分を、それによりポケットから容易に排出し、取り除くことができる。
【００１２】
本発明のさらなる実施形態では、ポケットは、衣服の少なくとも２つのパネルを相互連結している継ぎ目と、継ぎ目を共有している材料の層を備えている。この配置は、追加的な継ぎ目の必要性を減らすことによってポケットの製造を容易にする。衣服が、例えば左前パネル、右前パネル、および頭部ピースに、継ぎ目によって連結される背中パネルを備えている場合には、背中パネルを他のパネルに連結する継ぎ目と全継ぎ目を共有する単一の追加的な材料層によって、背中パネルの内側にポケットを形成することができる。
【００１３】
本発明のさらなる実施形態では、第１のポケットは、第１のポケットに入るように衣服を下向きに引っ張るように適合された引き手要素を備えている。引き手要素を引くことによって、衣服は、容易に第１のポケット内に引き込まれ、第１のポケットは同時に反転され、それにより複雑で時間のかかる折畳み手順の必要性がなくなる。例えばこの特徴は、競技で競争しており、気象条件の変化にさらされるプロスポーツ選手にとって重要なものであり得る。
【００１４】
引き手要素は、第１のポケットに取り付けられた第２の固定要素と相互作用するように適合された第１の固定要素を備えていてもよく、それにより第１のポケット用の持運びストラップが形成される。したがって引き手要素は、例えば引き手要素を上半身に斜めに掛けて持ち運ぶことによって、詰められた衣服を持ち運ぶためにも使用することができ、それにより両腕および両手が空いて他の活動ができるようになるが、衣服はすぐに再使用できるようになお利用可能である。
【００１５】
本発明のさらなる実施形態では、第１の一体型ポケットは、衣服が第１のポケットに詰められたときに、第１のポケットを中に詰めることができる第２のポケットを備えている。この構成は、衣服の２つの別々の詰め込み構成を可能にする。例えば、第２のポケットが第１のポケットよりもはるかに小さい場合、上述したように衣服材料への負担を低減するために、より大きな詰め込み容量が許容可能でありそれが望ましい場合には、衣服を第１のポケットに詰めておくことができる。より小さい詰め込み容量が望ましいとき、例えばすでに荷物が入っているハイキング用バックパックまたは任意の他の保管装置の、制限された残りの容量内に衣服を保管する必要がある場合には、第１のポケットを第２のポケットに詰めることによって、詰め込み容量を容易にさらに低減させることができる。
【００１６】
本発明のさらなる実施形態では、第２のポケットは、衣服が使用されているときに、第１のポケットの内側に配置される。例えば、衣服の背中パネルと、背中パネルの内表面に取り付けられた追加的な材料層との間に、第１のポケットが形成される場合には、第２のポケットは完全に第１のポケット内に隠され、衣服が使用されているときに、外観を悪くすることも、衣服の着心地を悪くすることもない。それに加えて、それにより第２のポケットは、第１のポケット内で物理的な損傷から保護される。
【００１７】
本発明のさらなる実施形態では、衣服は、頑丈なレインコート、冬用パーカなどの上半身用衣服を備える。
【００１８】
本発明のさらなる実施形態では、上記に提示された教示がバッグに適用され、バックは、使用されていないときに、バッグを中に詰めることができる一体型の第１のポケットを備えており、第１のポケットは、バッグが第１のポケットに詰められたときに、第１のポケットを中に詰めることができる第２のポケットを備えている。衣服と同様に、この構成は、バッグの２つの別々の詰め込み構成を可能にする。例えば、第２のポケットが第１のポケットよりもはるかに小さい場合、バッグ材料の負担を低減するために、より大きな詰め込み容量が許容可能でありそれが望ましい場合には、バッグを第１のポケットに詰めておくことがでる。より小さい詰め込み容量が望ましいとき、例えばすでに荷物が入っているハイキング用バックパックまたは任意の他の保管装置の、制限された残りの容量内にバッグを保管する必要がある場合には、第１のポケットを第２のポケットに詰めることによって、詰め込み容量を容易にさらに低減させることができる。
【００１９】
添付図面を参照しながら、本発明の態様が以下でより詳細に記述される。
【図面の簡単な説明】
【００２０】
【図１】本発明の実施形態による、防雨パーカの前面図および分解図である。
【図２】本発明の実施形態による、第１のポケットのサブアセンブリの分解図、および第２のポケットの断面図である。
【図３】本発明の実施形態による、パーカの背中パネルと横パネルとの間の連結継ぎ目、および、第１のポケットを形成するために使用される追加的な材料層を詳細に示す断面図である。
【図４】本発明の実施形態による、パーカが第１のポケットに詰められたときの防雨パーカの前面図である。
【図５】本発明の実施形態による、パーカが第１のポケットに詰められたときの防雨パーカの断面図である。
【図６】本発明の実施形態による、パーカが第２のポケットの内側に保管され、引き手要素が持運びストラップを形成するときの、防雨パーカの前面図である。
【図７】バッグを第１のポケットに詰めるのに必要なステップを示す、折畳み可能なバッグの４つの別々の図である。
【図８】バッグが使用されているとき、およびバッグが第１のポケットの内側にあるときに、バッグを着用している人の背面図である。
【発明を実施するための形態】
【００２１】
以下では、一体型ポケットに詰めることができる本発明の衣服の例示的な実施形態を、防雨パーカなどの上半身の衣服を参照しながら、より詳細に記述する。しかし、本発明は、そのような具体的な実施形態には限定されず、例えばズボン、コート、またはジャケットなどの他のタイプの衣服にも同じく適用可能であることが、理解されるべきである。
【００２２】
さらに、本発明の特定の実施形態に関して、具体的な特徴の組合せが以下で記述されるが、本開示はそのような実施形態に限定されないことが理解されるべきである。言い換えれば、本発明を実現するために必ずしもすべての特徴が存在しなくてはならないわけではなく、１つの実施形態の特定の特徴を、別の実施形態の１つまたは複数の特徴と組み合わせることによって、実施形態が修正されてもよい。
【００２３】
図１は、本発明の実施形態による防雨パーカ１０を示している。図１の左部分は、パーカ１０の前面図を描いている。図１の右部分は、パーカ１０の分解図を描いている。パーカ１０は、背中パネル２０と、袖およびフードの一部分を備える右前パネル３０と、同じく袖およびフードの一部分を備える左前パネル４０と、頭部パネル５０と、内裏地層６０と、背中パネル２０と内裏地層６０との間に形成されている第１のポケット５５（下の図４も参照）と、第２のポケット７０と、引き手要素８０とを備えている。本発明の他の実施形態は、異なる数のパネルを備えてもよく、それらのパネルは、本実施形態とは異なる形状および材料のものであってもよい。
【００２４】
内裏地層６０は、パーカのパネル２０、３０、４０、５０と同じ材料を備えても、異なる材料を備えてもよい。パネル２０、３０、４０、５０も、同じ材料備えても、異なる材料を備えてもよい。分解図の切断線は、パーカ１０のパネル２０、３０、４０、５０が接合される継ぎ目を示している。継ぎ目は、縫い付け、接着、溶接などによって提供されてもよい。内裏地層６０は、背中パネル２０と同じ周囲寸法を有していてもよい。したがって、パーカ１０の他のパネル３０、４０、５０を背中パネル２０に連結するのに使用されるのと同じ継ぎ目によって、内裏地層６０を背中パネル２０に連結することができる。第１のポケット５５を背中パネル２０に提供するのに必要な追加的な継ぎ目の数が減る、または追加的な継ぎ目が必要ないことから、そのような配置によって、パーカ１０の製造が容易になる。
【００２５】
こうして、背中パネル２０と内裏地層６０との間で、細長い第１のポケット５５が形成される。第１のポケット５５は、パーカ１０の下端部に開口部を備えている。開口部のふちは、背中パネル２０の下縁部と内裏地層６０の下縁部によって形成される。第１のポケット５５は、背中パネル２０の垂直方向範囲の全体、または少なくともその大部分に沿って、延在していてもよく、背中パネル２０の水平方向範囲の一部分または全体に沿って、延在していてもよい。
【００２６】
引き手要素８０は、第１のポケット５５の内側に配置され、背中パネル２０、頭部ピース５０、および内裏地層６０を接合する上側継ぎ目に連結されていてもよい。他の取付け点も考えられる。引き手要素８０は、パーカ１０の下端部に位置付けられた開口部を通して容易に手が届くように、第１のポケット５５の一部の垂直方向範囲または全垂直方向範囲に沿って、延在していてもよい。第２のポケット７０は、パーカ１０の他の要素とは異なる材料を備えていても備えていなくてもよく、第１のポケット５５の内側に配置され、内裏地層６０の表面に取り付けられている。第２のポケット７０は、背中パネル２０に取り付けることもでき、または内裏地層６０の外表面にさえ取り付けることができる。第１のポケット５５の内側の第２のポケット７０の寸法、形状、および正確な位置は、本発明の様々な実施形態に応じて異なっていてもよい。
【００２７】
図２は、本発明の実施形態による防雨パーカ１０のサブアセンブリを描いている。図２の右部分は、細長い第１のポケット５５を形成する要素のうちのいくつかの分解図を描いている。図からわかるように、内裏地層６０は、第２のポケット７０の表面の上縁部と下縁部に連結された上側部分１１０と下側部分１２０とを備えていてもよい。本発明の他の実施形態では、内裏地層６０は、異なる材料を備える異なる数の部分を備えていてもよい。また第２のポケット７０は、内裏地層６０またはパーカ１０の任意の他の要素と一体ではなく、単にそれに取り付けられているだけである完全に別個の要素であってもよい。
【００２８】
引き手要素８０は、内裏地層６０の上側部分１１０の上縁部に連結されており、当技術分野において知られている、バックル、フック、カラビナなどの一部分などの固定要素９０を備えていてもよい。第２のポケット７０は、第２のポケット７０を閉じるための蓋１３０、およびバックルまたは任意の固定要素１５０を備えていてもよい。
【００２９】
図２の右部分は、内裏地層６０の上側部分１１０、第２のポケット７０の裏側１３５、および内裏地層６０の下側部分１２０が、縫い継ぎ目１４０によって互いに連結されたときの、内裏地層６０と第２のポケット７０の断面図を描いている。第２のポケット７０は、内裏地層６０に取り付けられてもよく、パーカ１０がその中に詰められたときに、第２のポケット７０が反転され得るように、裏返しの構成で配置されてもよい。
【００３０】
図３は、本発明の実施形態によるパーカ１０の連結継ぎ目１６０のうちの１つ、および隣接した部分の断面図を描いている。背中パネル２０は、単一の縫い継ぎ目１６０によって右前パネル３０および内裏地層６０に連結され、縫い継ぎ目１６０は、例えば、パックライト（ＰＡＣＬＩＴＥ）（登録商標）などの柔軟性のある防水材料を備える材料１７０のストリップによって補強されてもよい。本発明の他の実施形態では、衣服の要素間の連結継ぎ目は、溶接、接着、またはさらにジッパーなどの異なる手段によって連結されてもよい。
【００３１】
この例では、背中パネル２０、右前パネル３０、および内裏地層６０は、単一の製造ステップ中に連結されてもよく、それにより一体型ポケットを有するパーカ１０を生産するための製造ステップの総数が減る。図１に描かれている実施形態については、図３に示されている連結方法が、第１のポケット５５を形成している全縁部に対して使用され、それにより、第１のポケット５５をパーカ１０に一体化するのに追加的な製造ステップを必要としない。
【００３２】
本発明のいくつかの実施形態については、第１のポケット５５を形成する２つの材料層が、防水性および／また通気性を有し得る同じ材料を備えていてもよい。この場合、パーカ１０は、使用時、および第１のポケット５５内に保管されているときには、防水である。また内裏地層６０は、パーカ１０の外側パネル２０、３０、４０、５０よりも軽く、柔軟性のある材料を備えてもよく、それにより潜在的に、パーカ１０の重量が低減され、第１のポケット５５にパーカ１０を入れる素早く簡単な折畳み工程が容易になる。
【００３３】
図４は、本発明の実施形態による一体型の第１のポケット５５内にパーカ１０が包まれたときの、パーカ１０の前面図を描いている。パーカ１０の背中パネル２０と内裏地層６０との間に形成されている第１のポケット５５は、反転された状態で描かれており、一方パーカ１０は、第１のポケット５５の内側にある。この構成では、第２のポケット７０は、内裏地層６０の外表面に取り付けられている。裏返しの構成で配置されている第２のポケット７０の内側には、図２に描かれているように、閉鎖蓋１３０、およびバックル１５０があってもよい。
【００３４】
引き手要素８０、例えばウェビング引き手ストラップ、コード、または薄いロープなどは、継ぎ目、またはカラビナ、フック、もしくはバックルなどの追加的な固定要素によって、第１のポケット５５の上縁部６２に連結されてもよい。引き手要素８０の端部に取り付けられていてもよい固定要素９０は、反転された第１のポケット５５または第２のポケット７０の外側に取り付けられていてもよい第２の固定要素に連結されてもよく、それにより、第１のポケット５５の内側に詰められたパーカ１０の持運びストラップが形成される。このように、パーカ１０を人の背中で簡便に持ち運ぶことができ、その間、引き手要素８０は、人の胸に斜め掛けされた持運びストラップとしての役割を果たしている。パーカ１０を第１のポケット５５の内側に詰めるために用いられる素早く簡単な折畳み工程と組み合わされると、この追加的な特徴によって、パーカ１０を着用している人は、迅速にパーカ１０を脱ぎ、保管し、持ち運ぶことができ、また、必要に応じてパーカ１０を迅速に取り出し、再度使用することができるようになる。装備を変えるのに必要な時間を可能な限り短くしなければならず、気象条件の変化が多い競技に参加しているトレイルランナーおよび／またはマウンテンバイカーなどのプロスポーツ選手にとって、本発明のこの態様は非常に有用であり得る。
【００３５】
図４は、第１のポケット５５の下端部に位置付けられ、下側に向けられていてもよい第１のポケットの開口部１８０も描いている。開口部１８０の縁部は、バックパネル２０の下縁部、および内裏地層６０の下縁部によって形成される。この構成によって、第１のポケット５５の内側に折り畳まれたときに、パーカ１０を覆っているかもしれない水分を排出し、取り除くことができる。このようにパーカ１０は、折り畳まれて人の背中で持ち運ばれているときでも、乾くことが可能になる。
【００３６】
図５は、本発明の実施形態による、図４に示されるようにパーカ１０が第１のポケット５５に詰められたときのパーカ１０の断面図を描いている。背中パネル２０および内裏地層６０は、左縁部および右縁部に沿った縫い継ぎ目１６０によって連結されており、縫い継ぎ目１６０は、同時に、左前パネル４０および右前パネル３０の縁部を、背中パネル２０の左縁部および右縁部に連結させる。この縫い継ぎ目１６０は、材料ストリップ１７０によって補強されてもよい。
【００３７】
図６は、本発明の実施形態による第２のポケット７０の内側にパーカ１０が詰められたときの、パーカ１０の前面図を描いている。第２のポケット７０は、蓋１３０およびバックル１５０によって閉じられてもよく、引き手要素８０の一方の端部に連結されていてもよいバックル９０の対応する部分と相互作用することができるバックル９２の追加的な部分を備えていてもよく、それにより、第２のポケット用の持運びストラップが形成される。引き手要素８０も第２のポケット７０内に保管することができ、それにより使用していないときにパーカ１０の容量をさらに低減させることができる。第２のポケット７０によって、パーカ１０を第１のポケットよりもはるかに小さい容量で保管することが可能になる。それに加えて第２のポケット７０は、第２のポケット７０の表面に取り付けられた、鍵、小銭などの小さい物品を保管するのに適した少なくとも第３のポケット７５を備えてもよい。
【００３８】
本発明のいくつかの実施形態では、第２のポケット７０は、非常に軽い材料を備えていてもよく、追加的なバックルコネクタ９２、蓋１３０、バックル１５０のいずれも備えていなくてもよい。したがってパーカ１０の重量を低減させることができ、パーカ１０が使用されているときに、外観と着心地を改善することができる。
【００３９】
以下では、一体型ポケットに詰めることができる本発明のバッグの例示的な実施形態がより詳細に記述される。本発明は、この具体的な実施形態に限定されず、例えば旅行バッグ、スポーツバッグ、バックパックなどの任意のタイプのバッグにも同じく適用可能であることが、理解されるべきである。
【００４０】
図７は、本発明の実施形態による折畳み可能なバッグ２００の４つの異なる図を描いている。図７ａ）では、バッグ２００は広げられた構成で描かれており、これはバックの使用時に該当し得る。図７ｂ）は、第１のポケット５５にバッグ２００を詰めるために実行することができる折畳み工程の中間ステップを描いている。この構成では、この実施形態においてストラップとして実現されている引き手要素８０が、すでにいくらか引き出されている。図７ｃ）は、第１のポケット５５の内側にあるときのバッグ２００を描いている。引き手要素８０は、第１のポケット５５の上端部に取り付けられた固定要素２１０に連結されて、それにより第１のポケット５５用の持運びストラップが形成されてもよい。図７ｄ）は、１８０°回転した図７ｃ）と同じ構成を描いている。図７ｄ）で見ることができる特徴に加えて、第２のポケット７０が描かれており、バッグ２００が第１のポケット５５に詰められたときに、第１のポケット５５をその第２のポケット７０の中に詰めることができる。
【００４１】
図８は、２つの異なる構成でバッグ２００を持ち運ぶ人の背面図を描いている。図８の左部分では、人は、広げられた構成でバッグ２００を持ち運んでいる、すなわち、バッグ２００内に保管された追加的な物品を持ち運ぶためにバッグ２００が使用されているときである。図８の右部分は、バッグが第１のポケット５５の内側にあるときに、バックを持ち運んでいる人を描いている。
【００４２】
引き手要素８０は、２つの端部において第１のポケット５５に連結され、それにより人の上半身に斜め掛けされる持運びストラップが形成される。
【００４３】
以下では、本発明の理解を容易にするために、さらなる実施形態が記述される。
１．衣服であって、
ａ．使用されていないときに、衣服（１０）を中に詰めることができる一体型の第１のポケット（５５）を備えており、
ｂ．第１のポケット（５５）が、衣服（１０）の下端部に配置された開口部（１８０）を備えている、衣服。
２．開口部（１８０）が下側に向けられている、実施形態１に記載の衣服。
３．開口部（１８０）が閉鎖手段を備えていない、実施形態１または２に記載の衣服。
４．第１のポケット（５５）が、衣服（１０）の背中パネル（２０）の垂直方向範囲の大部分に沿って延在している、実施形態１から３のいずれかに記載の衣服。
５．第１のポケット（５５）が、衣服（１０）の少なくとも２つのパネルを相互連結している継ぎ目と、継ぎ目を共有している材料の層（６０）を備えている、実施形態１から４のいずれかに記載の衣服。
６．第１のポケット（５５）は、衣服（１０）が第１のポケット（５５）に詰められたときに、第１のポケット（５５）を中に詰めることができる第２のポケット（７０）を備えている、実施形態１から５のいずれかに記載の衣服。
７．衣服であって、
ａ．使用されていないときに、衣服（１０）を中に詰めることができる一体型の第１のポケット（５５）を備えており、
ｂ．第１のポケット（５５）が、衣服（１０）の背中パネル（２０）の垂直方向範囲の大部分に沿って延在している、衣服。
８．衣服であって、
ａ．使用されていないときに、衣服（１０）を中に詰めることができる一体型の第１のポケット（５５）を備えており、
ｂ．第１のポケット（５５）は、衣服（１０）が第１のポケット（５５）に詰められたときに、第１のポケット（５５）を中に詰めることができる第２のポケット（７０）を備えている、衣服。
９．衣服（１０）が使用されているとき、第２のポケット（７０）は、第１のポケット（５５）の内側に配置される、実施形態１から８のいずれかに記載の衣服。
１０．衣服であって、
ａ．使用されていないときに、衣服（１０）を中に詰めることができる一体型の第１のポケット（５５）を備えており、
ｂ．第１のポケット（５５）が、衣服の少なくとも２つのパネルを相互連結している継ぎ目と、継ぎ目を共有している材料の層（６０）を備えている、衣服。
１１．第１のポケット（５５）が、第１のポケット（５５）に入るように衣服（１０）を下向きに引っ張るように適合された引き手要素（８０）をさらに備えている、実施形態１から１０のいずれかに記載の衣服。
１２．引き手要素（８０）が、第１のポケット（５５）に取り付けられた第２の固定要素と相互作用するように適合された第１の固定要素（９０）を備えており、それにより第１のポケット（５５）用の持運びストラップが形成される、実施形態１から１１のいずれかに記載の衣服。
１３．第１のポケット（５５）および／または衣服（１０）を反転させることによって、衣服（１０）を第１のポケット（５５）の中に詰めることができる、実施形態１から１２のいずれかに記載の衣服。
１４．衣服（１０）が、上半身用の衣服である、実施形態１から１３のいずれかに記載の衣服。
１５．バッグであって、
ａ．使用されていないときに、バッグ（２００）を中に詰めることができる一体型の第１のポケット（５５）を備えており、ｂ．第１のポケット（５５）は、バッグ（２００）が第１のポケット（５５）に詰められたときに、第１のポケット（５５）を中に詰めることができる第２のポケット（７０）を備えている、バッグ。
【符号の説明】
【００４４】
１０  衣服
２０  背中パネル
３０  右前パネル
４０  左前パネル
５０  頭部パネル
５５  第１のポケット
６０  内裏地層
６２  上縁部
７０  第２のポケット
７５  第３のポケット
８０  引き手要素
９０  固定要素
９２  バックル
１１０  上側部分
１２０  下側部分
１３０  蓋
１３５  裏側
１４０  縫い継ぎ目
１５０  バックル
１６０  継ぎ目
１７０  材料ストリップ
１８０  開口部
２００  バッグ
【図１】
2019049087.tif 000003
【図２】
2019049087.tif 000004
【図３】
2019049087.tif 000005
【図４】
2019049087.tif 000006
【図５】
2019049087.tif 000007
【図６】
2019049087.tif 000008
【図７】
2019049087.tif 000009
【図８】
2019049087.tif 000010
【外国語明細書】
2019049087000001.pdf